(57)【要約】【課題】入力される画像信号に含まれている画像情報を間引いて表示パネルに画像を表示する際に、処理速度を向上させると共に誤動作の危険も少ない画像処理方法を提供する。【解決手段】この画像処理方法は、入力される画像信号に含まれているそれぞれの色信号成分について複数の画素の画像情報を周期的に所定の割合で抽出するステップと、抽出されたいずれか１つの画素の画像情報の割合が設定値以上である特定の画素の画像情報とそれに隣接する少なくとも１つの画素の画像情報とに基づいて複数の画素間における輝度レベルの変化量を計算するステップと、輝度レベルの変化量をしきい値と比較することにより画像のエッジを検出するステップと、画像のエッジの高輝度側に位置する画素の色信号レベルを低下させ、及び／又は、画像のエッジの低輝度側に位置する画素の色信号レベルを上昇させるステップとを具備する。【選択図】図１
2009014840.tif 000002
【特許請求の範囲】
【請求項１】
入力される画像信号に基づいて表示パネルの複数のドットにＲ信号、Ｇ信号、及び、Ｂ信号の画像情報を表示するシステムにおいて用いられる画像処理方法であって、
入力される画像信号に含まれているＲ信号成分、Ｇ信号成分、及び、Ｂ信号成分について、複数の画素の画像情報を周期的に所定の割合で抽出するステップ（ａ）と、
ステップ（ａ）において抽出されたいずれか１つの画素の画像情報の割合が設定値以上である特定の画素の画像情報とそれに隣接する少なくとも１つの画素の画像情報とに基づいて、複数の画素間における輝度レベルの変化量を計算するステップ（ｂ）と、
ステップ（ｂ）において計算された輝度レベルの変化量をしきい値と比較することにより、画像のエッジを検出するステップ（ｃ）と、
ステップ（ｃ）において検出された画像のエッジの高輝度側に位置する画素の色信号レベルを低下させ、及び／又は、ステップ（ｃ）において検出された画像のエッジの低輝度側に位置する画素の色信号レベルを上昇させるステップ（ｄ）と、
を具備する画像処理方法。
【請求項２】
ステップ（ａ）が、入力される画像信号に含まれている複数の画素の画像情報から順番にＲ信号成分、Ｇ信号成分、及び、Ｂ信号成分を択一的に抽出することを含み、
前記特定の画素が、Ｒ信号成分が択一的に抽出される画素である、
請求項１記載の画像処理方法。
【請求項３】
ステップ（ｂ）が、前記特定の画素の画像情報とそれに後続する画素の画像情報とに基づいて、２つの画素間における輝度レベルの低下量を計算することを含み、
ステップ（ｃ）が、ステップ（ｂ）において計算された輝度レベルの低下量をしきい値と比較することにより、画像の立下がりエッジを検出することを含み、
ステップ（ｄ）が、ステップ（ｃ）において画像の立下がりエッジが検出された場合に、前記特定の画素の色信号レベルを低下させることを含む、
請求項１又は２記載の画像処理方法。
【請求項４】
ステップ（ｂ）が、前記特定の画素の輝度レベルとその前後の２つの画素の輝度レベルとに基づいて、３つの画素間における輝度レベルの変化量を計算することを含み、
ステップ（ｃ）が、ステップ（ｂ）において計算された輝度レベルの変化量をしきい値と比較することにより、画像の立下がりエッジを検出することを含み、
ステップ（ｄ）が、ステップ（ｃ）において画像の立下がりエッジが検出された場合に、前記特定の画素の色信号レベルを低下させることを含む、
請求項１又は２記載の画像処理方法。
【請求項５】
前記特定の画素の前後の２つの画素の輝度レベルに基づいて、しきい値を設定するステップと、
設定されたしきい値が所定の値よりも小さい場合に、設定されたしきい値を所定の値に変更するステップと、
をさらに具備する請求項４記載の画像処理方法。
【請求項６】
入力される画像信号に基づいて表示パネルの複数のドットにＲ信号、Ｇ信号、及び、Ｂ信号の情報を表示するシステムにおいて用いられる画像処理装置であって、
入力される画像信号に含まれているＲ信号成分、Ｇ信号成分、及び、Ｂ信号成分について、複数の画素の画像情報を周期的に所定の割合で抽出する画像抽出手段と、
前記画像抽出手段によって抽出されたいずれか１つの画素の画像情報の割合が設定値以上である特定の画素の画像情報とそれに隣接する少なくとも１つの画素の画像情報とに基づいて、複数の画素間における輝度レベルの変化量を計算する輝度計算手段と、
前記輝度計算手段によって計算された輝度レベルの変化量をしきい値と比較することにより、画像のエッジを検出するエッジ検出手段と、
前記エッジ検出手段によって検出された画像のエッジの高輝度側に位置する画素の色信号レベルを低下させ、及び／又は、前記エッジ検出手段によって検出された画像のエッジの低輝度側に位置する画素の色信号レベルを上昇させる画像補正手段と、
を具備する画像処理装置。
【請求項７】
前記画像抽出手段が、入力される画像信号に含まれている複数の画素の画像情報から順番にＲ信号成分、Ｇ信号成分、及び、Ｂ信号成分を択一的に抽出し、
前記特定の画素が、Ｒ信号成分が択一的に抽出される画素である、
請求項６記載の画像処理装置。
【発明の詳細な説明】
【技術分野】
【０００１】
本発明は、ＬＣＤ（液晶表示）パネルやＰＤＰ（プラズマディスプレイパネル）等の表示パネルに画像を表示する際に生じる輪郭部分の色ずれを補正する画像処理方法及び画像処理装置に関する。
【背景技術】
【０００２】
プリンタや携帯電話等の電子機器において、小型のＬＣＤパネルが使用されている。小型のＬＣＤパネルにおいては、ドットの数があまり多くないことから、画像信号に含まれているＲＧＢ（赤緑青）の全ての画像情報を表示するのではなく、画像情報を間引くことにより、例えば、１番目の画素についてはＲ信号の情報を表示し、２番目の画素についてはＧ信号の情報を表示し、３番目の画素についてはＢ信号の情報を表示することが行われている。
【０００３】
この表示方法によれば、白い領域を表示する場合に、ＬＣＤパネルの左から１番目のドットには１番目の画素の赤色成分が表示され、２番目のドットには２番目の画素の緑色成分が表示され、３番目のドットには３番目の画素の青色成分が表示され、これを繰り返すことにより、視覚的には全体として白い領域と認識される。
【０００４】
このように、白い領域を一連の画素の赤色成分、緑色成分、青色成分の繰り返しによって表す場合には、文字のように輪郭が鮮明な画像を表示す入力画像信号のる際に、例えば、白い領域が４画素分であるとすると、赤色から始まって赤色で終わるようなことが起こる。その結果、ＲＧＢのドットの割合が均等でなくなり、白い領域のエッジにおいて赤色が強調されるという現象が生じる。特に、赤色は視覚上目立ち易いので、白い領域のエッジに赤色が表示される場合に、色ずれが顕著に感じられる。そこで、このような色ずれを解消するために、様々な技術が開発されている。
【０００５】
関連する技術として、特許文献１には、ＰＤＰのような１画素のサイズが大きなディスプレイにおいて、パソコン画像のような輪郭が明確な画像を表示した場合における輪郭部分での色ずれを防止した輪郭色補正回路が開示されている。この輪郭色補正回路は、入力された映像信号の着目画素とそれに隣接する画素のＲＧＢの各信号のレベル差から両画素間の色ずれ発生量を検出する色ずれ検出部と、この色ずれ検出部で検出した色ずれ発生量に、予め設定された係数を掛けて補正量を演算する補正量演算部と、この補正量演算部で求めた補正量を映像信号に加減して補正する加算部とからなっている。
【０００６】
また、特許文献２には、カラー画像表示装置において、輝度の高い領域の両端部のドット（ＲあるいはＢ）の色ずれを解消するために色ずれ補正回路を設けることが開示されている。この色ずれ補正回路は、複数のピクセルの内で隣接するピクセルをそれぞれある色成分で所定の輝度に表示する場合に、隣接するピクセルの輝度が予め定めた所定の値以上の輝度差を持つことを検出する輝度比較検出回路と、該輝度比較検出回路で上記輝度差を検出したときに、上記隣接するピクセルの内で輝度の高い方のピクセルを構成するドットであって輝度の低い方のピクセルに隣接するドットを、上記輝度が高い方のピクセル内の予め定めた所定位置で、所定の輝度に見えるように制御する。
【０００７】
しかしながら、特許文献１の輪郭色補正回路や特許文献２の色ずれ補正回路によれば、画像信号の処理が複雑となって回路規模が増大すると共に、複雑な処理を行うことにより誤動作の危険も増加する。
【特許文献１】特開２００４−６１９３０号公報（第１頁、図１）
【特許文献２】特開平１０−１０５１０８号公報（第１−２頁、図１）
【発明の開示】
【発明が解決しようとする課題】
【０００８】
そこで、上記の点に鑑み、本発明は、入力される画像信号に含まれている画像情報を間引いて表示パネルに画像を表示する際に、処理速度を向上させると共に誤動作の危険も少ない画像処理方法及び画像処理装置を提供することを目的とする。
【課題を解決するための手段】
【０００９】
以上の課題を解決するために、本発明の１つの観点に係る画像処理方法は、入力される画像信号に基づいて表示パネルの複数のドットにＲ信号、Ｇ信号、及び、Ｂ信号の画像情報を表示するシステムにおいて用いられる画像処理方法であって、入力される画像信号に含まれているＲ信号成分、Ｇ信号成分、及び、Ｂ信号成分について、複数の画素の画像情報を周期的に所定の割合で抽出するステップ（ａ）と、ステップ（ａ）において抽出されたいずれか１つの画素の画像情報の割合が設定値以上である特定の画素の画像情報とそれに隣接する少なくとも１つの画素の画像情報とに基づいて、複数の画素間における輝度レベルの変化量を計算するステップ（ｂ）と、ステップ（ｂ）において計算された輝度レベルの変化量をしきい値と比較することにより、画像のエッジを検出するステップ（ｃ）と、ステップ（ｃ）において検出された画像のエッジの高輝度側に位置する画素の色信号レベルを低下させ、及び／又は、ステップ（ｃ）において検出された画像のエッジの低輝度側に位置する画素の色信号レベルを上昇させるステップ（ｄ）とを具備する。
【００１０】
ここで、ステップ（ａ）が、入力される画像信号に含まれている複数の画素の画像情報から順番にＲ信号成分、Ｇ信号成分、及び、Ｂ信号成分を択一的に抽出することを含み、特定の画素が、Ｒ信号成分が択一的に抽出される画素であっても良い。
【００１１】
また、ステップ（ｂ）が、特定の画素の画像情報とそれに後続する画素の画像情報とに基づいて、２つの画素間における輝度レベルの低下量を計算することを含み、ステップ（ｃ）が、ステップ（ｂ）において計算された輝度レベルの低下量をしきい値と比較することにより、画像の立下がりエッジを検出することを含み、ステップ（ｄ）が、ステップ（ｃ）において画像の立下がりエッジが検出された場合に、特定の画素の色信号レベルを低下させることを含むようにしても良い。
【００１２】
あるいは、ステップ（ｂ）が、特定の画素の輝度レベルとその前後の２つの画素の輝度レベルとに基づいて、３つの画素間における輝度レベルの変化量を計算することを含み、ステップ（ｃ）が、ステップ（ｂ）において計算された輝度レベルの変化量をしきい値と比較することにより、画像の立下がりエッジを検出することを含み、ステップ（ｄ）が、ステップ（ｃ）において画像の立下がりエッジが検出された場合に、特定の画素の色信号レベルを低下させることを含むようにしても良い。
【００１３】
その場合に、画像処理方法が、特定の画素の前後の２つの画素の輝度レベルに基づいて、しきい値を設定するステップと、設定されたしきい値が所定の値よりも小さい場合に、設定されたしきい値を所定の値に変更するステップとをさらに具備するようにしても良い。
【００１４】
本発明の一実施形態に係る画像処理装置は、入力される画像信号に基づいて表示パネルの複数のドットにＲ信号、Ｇ信号、及び、Ｂ信号の情報を表示するシステムにおいて用いられる画像処理装置であって、入力される画像信号に含まれているＲ信号成分、Ｇ信号成分、及び、Ｂ信号成分について、複数の画素の画像情報を周期的に所定の割合で抽出する画像抽出手段と、画像抽出手段によって抽出されたいずれか１つの画素の画像情報の割合が設定値以上である特定の画素の画像情報とそれに隣接する少なくとも１つの画素の画像情報とに基づいて、複数の画素間における輝度レベルの変化量を計算する輝度計算手段と、輝度計算手段によって計算された輝度レベルの変化量をしきい値と比較することにより、画像のエッジを検出するエッジ検出手段と、エッジ検出手段によって検出された画像のエッジの高輝度側に位置する画素の色信号レベルを低下させ、及び／又は、エッジ検出手段によって検出された画像のエッジの低輝度側に位置する画素の色信号レベルを上昇させる画像補正手段とを具備する。
【００１５】
ここで、画像抽出手段が、入力される画像信号に含まれている複数の画素の画像情報から順番にＲ信号成分、Ｇ信号成分、及び、Ｂ信号成分を択一的に抽出し、特定の画素が、Ｒ信号成分が択一的に抽出される画素であっても良い。
【発明の効果】
【００１６】
本発明によれば、複数の画素の画像情報を周期的に所定の割合で抽出する際に、いずれか１つの画素の画像情報の割合が設定値以上である特定の画素の画像情報とそれに隣接する少なくとも１つの画素の画像情報とに基づいて色ずれを補正することにより、処理速度を向上させると共に誤動作の危険も少ない画像処理方法及び画像処理装置を提供することができる。
【発明を実施するための最良の形態】
【００１７】
以下、本発明の実施形態について、図面を参照しながら詳しく説明する。なお、同一の構成要素には同一の参照番号を付して、説明を省略する。
図１は、本発明の一実施形態に係る画像処理装置の構成の一部を示すブロック図である。この画像処理装置は、入力される画像信号に含まれている画像情報の一部を抽出してＲ信号、Ｇ信号、Ｂ信号を生成し、表示パネルの赤色、緑色、青色のドットにＲ信号、Ｇ信号、Ｂ信号の画像情報をそれぞれ表示するシステムにおいて用いられる。入力される画像信号（画像データ）は、各々の画素について、例えば、８ビットのＲ信号成分（Ｒデータ）と、８ビットのＧ信号成分（Ｇデータ）と、８ビットのＢ信号成分（Ｂデータ）とを含んでいる。
【００１８】
図１に示すように、この画像処理装置は、入力される画像信号に含まれているＲ信号成分、Ｇ信号成分、及び、Ｂ信号成分について、複数の画素の画像情報を周期的に所定の割合で抽出する画像抽出部１０と、複数の画素間における輝度レベルの変化量を計算する輝度計算部２０と、輝度計算部２０によって計算された輝度レベルの変化量をしきい値と比較することにより、画像のエッジを検出するエッジ検出部３０と、エッジ検出部３０によって検出された画像のエッジの高輝度側に位置する画素の色信号レベルを低下させ、及び／又は、エッジ検出部３０によって検出された画像のエッジの低輝度側に位置する画素の色信号レベルを上昇させる画像補正部４０とを有している。
【００１９】
ただし、全ての画素について輝度レベルの変化量を計算すると処理が膨大になるので、輝度計算部２０は、画像抽出部１０によって抽出されたいずれか１つの画素の画像情報の割合が設定値以上である特定の画素に注目し、特定の画素の画像情報とそれに隣接する少なくとも１つの画素の画像情報とに基づいて、複数の画素間における輝度レベルの変化量を計算するようにしている。これにより、処理速度が向上して、誤動作の危険も少なくなる。
【００２０】
次に、図１に示す画像処理装置において実施される本発明の一実施形態に係る画像処理方法について説明する。
図２は、本発明の一実施形態に係る画像処理方法を示すフローチャートである。
まず、ステップＳ１において、画像抽出部１０が、カウント値ｎを、例えば、「１」に初期化する。次に、ステップＳ２において、画像抽出部１０が、入力画像信号に含まれているＲ信号成分、Ｇ信号成分、及び、Ｂ信号成分について、複数の画素の画像情報を周期的に所定の割合で抽出することにより、入力画像信号のサブサンプリングを行い、表示パネルの第ｎ番目のドット（サブピクセル）についての画像信号を生成する（ｎ＝１、２、・・・）。本実施形態においては、表示パネルの第１番目のドットにＲ信号の画像情報が表示され、第２番目のドットにＧ信号の画像情報が表示され、第３番目のドットにＢ信号の画像情報が表示され、この順序で色表示が繰り返されるものとする。
【００２１】
ステップＳ３において、輝度計算部２０が、第ｎ番目のドットについての画像信号を生成するために用いられた画素に、輝度計算の対象となる画素が含まれているか否かを判定する。本実施形態においては、１つのドットについての画像信号を生成するために、１つの画素の画像情報が設定値（例えば、８０％）以上の割合で用いられる場合に、その画素を特定の画素として設定することにより、輝度レベルの変化量に基づいて画像信号の補正の要否が判定される。輝度レベルの変化量を計算するために、特定の画素と、それに隣接する少なくとも１つの画素とが、輝度計算の対象となる。第ｎ番目のドットに対応する入力画像信号に、輝度計算の対象となる画素が含まれている場合には、処理がステップＳ４に移行し、輝度計算の対象となる画素が含まれていない場合には、処理がステップＳ９に移行する。
【００２２】
ステップＳ４において、輝度計算部２０は、ステップＳ３において輝度計算の対象とされた画素について、入力画像信号の輝度レベルＥＹを次式によって計算する。
ＥＹ＝０．３０ＥＲ＋０．５９ＥＧ＋０．１１ＥＢ
ここで、ＥＲは入力画像信号のＲ信号成分のレベルであり、ＥＧは入力画像信号のＧ信号成分のレベルであり、ＥＢは入力画像信号のＢ信号成分のレベルである。
【００２３】
ステップＳ５において、エッジ検出部３０は、複数の画素間における輝度レベルの変化量ΔＥＹを計算する。ステップＳ６において、エッジ検出部３０は、ステップＳ５において計算された輝度レベルの変化量ΔＥＹをしきい値Ｔｈと比較することにより、画像のエッジ（輝度の変化が急峻な部分）を検出する。即ち、エッジ検出部３０は、ΔＥＹ＞Ｔｈである場合には、画像のエッジが存在すると判定して、処理をステップＳ７に移行させ、ΔＥＹ＞Ｔｈでない場合には、画像のエッジが存在しないと判定して、処理をステップＳ９に移行させる。
【００２４】
ステップＳ７において、画像補正部４０が、色信号レベルの補正量を計算する。ステップＳ８において、画像補正部４０は、ステップＳ７において計算された補正量を用いて、ステップＳ６において検出された画像のエッジの高輝度側に位置する画素の色信号レベルを低下させ、及び／又は、画像のエッジの低輝度側に位置する画素の色信号レベルを上昇させることにより、画像信号を補正する。
【００２５】
ステップＳ９において、画像抽出部１０が、カウント値ｎを１だけインクリメントして、処理をステップＳ２に戻す。これにより、入力画像信号に含まれている全ての画素について、ステップＳ２〜ステップＳ９の処理が繰り返して行われる。
【００２６】
ここで、本発明の第１の実施例について、図１及び図３を参照しながら説明する。図３は、本発明の第１の実施例における画像情報の抽出を説明するための図である。
先に説明したように、小型の表示パネルにおいては、ドットの数があまり多くないことから、画像信号に含まれているＲＧＢ（赤緑青）の全ての画像情報を表示するのではなく、画像情報を間引くことが行われている。第１の実施例においては、ＲＧＢの各々について７２０×２４０画素の画像情報を有する入力画像信号に基づいて、７２０×２４０ドット（ＲＧＢの各々について２４０×２４０ドット）を有する表示パネルに画像を表示する場合について説明する。
【００２７】
図３に示すように、入力画像信号には、第１の画素のＲ信号成分Ｒ１、Ｇ信号成分Ｇ１、Ｂ信号成分Ｂ１と、第２の画素のＲ信号成分Ｒ２、Ｇ信号成分Ｇ２、Ｂ信号成分Ｂ２と、第３の画素のＲ信号成分Ｒ３、Ｇ信号成分Ｇ３、Ｂ信号成分Ｂ３等とが含まれている。
【００２８】
画像抽出部１０は、表示パネルの第１のドット（赤色）に表示する画像情報として第１の画素のＲ信号成分Ｒ１を択一的に抽出し、表示パネルの第２のドット（緑色）に表示する画像情報として第２の画素のＧ信号成分Ｇ２を択一的に抽出し、表示パネルの第３のドット（青色）に表示する画像情報として第３の画素のＢ信号成分Ｂ３を択一的に抽出し、以降、この順番で抽出を繰り返す。
【００２９】
即ち、第１のドットについては、第１の画素のＲ信号成分が１００％の割合で抽出され、第２の画素のＲ信号成分が０％の割合で抽出され、第３の画素のＲ信号成分が０％の割合で抽出される。第２のドットについては、第１の画素のＧ信号成分が０％の割合で抽出され、第２の画素のＧ信号成分が１００％の割合で抽出され、第３の画素のＧ信号成分が０％の割合で抽出される。第３のドットについては、第１の画素のＢ信号成分が０％の割合で抽出され、第２の画素のＢ信号成分が０％の割合で抽出され、第３の画素のＢ信号成分が１００％の割合で抽出される。このようにして、画像抽出部１０は、入力画像信号をサブサンプリングして、表示用の画像信号を生成する。
【００３０】
図３に示すように、第１の画素〜第４の画素において輝度レベルが高く、第４の画素から輝度レベルが低くなる場合には、画像信号は第１の画素〜第４の画素において白い領域を表しているが、表示パネル上では、第１のドット〜第４のドットにおいて赤色、緑色、青色、赤色がそれぞれ表示されるので、ＲＧＢのドットの割合が均等でなくなり、白い領域のエッジにおいて赤色が強調されるという現象が生じる。特に、赤色は視覚上目立ち易いので、白い領域のエッジに赤色が表示される場合に、色ずれが顕著に感じられる。そこで、第１の実施例においては、このような色ずれを解消するために、Ｒ信号成分が択一的に（１００％）抽出される画素を特定の画素として、特定の画素が画像の立下りエッジの高輝度側に位置する場合に、画像信号を補正するようにしている。
【００３１】
輝度計算部２０は、第ｎ番目のドットに対応する画素が輝度計算の対象となるか否かを、カウント値ｎに基づいて判定する。第１の実施例においては、第（３ｍ＋１）番目のドット（赤色）に対応する第（３ｍ＋１）番目の画素、及び、それに後続する第（３ｍ＋２）番目の画素が、輝度計算の対象とされる（ｍ＝０、１、２、・・・）。例えば、ｍ＝１、ｎ＝４である場合に、第４番目及び第５番目の画素が輝度計算の対象となる。
【００３２】
その場合に、エッジ検出部３０は、次式によって輝度レベルの変化量ΔＥＹを求める。
ΔＥＹ＝ＥＹ４−ＥＹ５
この輝度レベルの変化量ΔＥＹは、第４番目のドット（赤色）に対応する特定の画素の輝度レベルＥＹ４に対して、それに後続する画素の輝度レベルＥＹ５の低下量を表している。
【００３３】
エッジ検出部３０は、計算された輝度レベルの変化量ΔＥＹをしきい値Ｔｈと比較することにより、画像の立下がりエッジを検出する。第１の実施例においては、しきい値Ｔｈが予めパラメータとして設定されている（図１参照）。その結果、ΔＥＹ＞Ｔｈである場合には、エッジ検出部３０が、画像の立下がりエッジが存在すると判定する。
【００３４】
画像の立下がりエッジが存在すると判定された場合には、画像補正部４０が、例えば、次式によってＲ信号の補正量ｄＥＲを計算する。
ｄＥＲ＝｜ＥＹ４−ＥＹ５｜／５
ここで、Ｒ信号の補正量ｄＥＲは、特定の画素とそれに後続する画素との間の輝度レベルの差分値に比例している。
【００３５】
画像補正部４０は、次式によって、第４番目のドットの色信号レベルＥＲ４を低下させることにより、補正された色信号レベルＥＲ４'を求める。
ＥＲ４'＝ＥＲ４−ｄＥＲ
これにより、第４番目のドットに表示される赤色のレベルが低下して、色ずれが解消される。
【００３６】
次に、本発明の第２の実施例について、図１及び図４を参照しながら説明する。図４は、本発明の第２の実施例における画像情報の抽出を説明するための図である。第２の実施例においては、ＲＧＢの各々について７２０×２４０画素の画像情報を有する入力画像信号に基づいて、９６０×２４０ドット（ＲＧＢの各々について３２０×２４０ドット）を有する表示パネルに画像を表示する場合について説明する。
【００３７】
図４に示すように、画像抽出部１０に入力される画像信号には、第１の画素のＲ信号成分Ｒ１、Ｇ信号成分Ｇ１、Ｂ信号成分Ｂ１と、第２の画素のＲ信号成分Ｒ２、Ｇ信号成分Ｇ２、Ｂ信号成分Ｂ２と、第３の画素のＲ信号成分Ｒ３、Ｇ信号成分Ｇ３、Ｂ信号成分Ｂ３等とが含まれている。
【００３８】
画像抽出部１０は、これらの色信号成分を周期的に所定の割合で抽出することにより、表示パネルの第１のドット（赤色）に表示する画像情報を有する信号Ｅ１、表示パネルの第２のドット（緑色）に表示する画像情報を有する信号Ｅ２、及び、表示パネルの第３のドット（青色）に表示する画像情報を有する信号Ｅ３等を、次式によって計算する。
Ｅ１＝ＥＲ１
Ｅ２＝（ＥＧ１＋３ＥＧ２）／４
Ｅ３＝（２ＥＢ２＋２ＥＢ３）／４
Ｅ４＝（３ＥＲ３＋ＥＲ４）／４
Ｅ５＝ＥＧ４
【００３９】
即ち、第１のドットについては、第１の画素のＲ信号成分が１００％の割合で抽出される。第２のドットについては、第１の画素のＧ信号成分が２５％の割合で抽出され、第２の画素のＧ信号成分が７５％の割合で抽出される。第３のドットについては、第２の画素のＢ信号成分が５０％の割合で抽出され、第３の画素のＢ信号成分が５０％の割合で抽出される。第４のドットについては、第３の画素のＲ信号成分が７５％の割合で抽出され、第４の画素のＲ信号成分が２５％の割合で抽出される。第５のドットについては、第４の画素のＧ信号成分が１００％の割合で抽出される。
【００４０】
このようにして、画像抽出部１０は、入力画像信号をサブサンプリングして、表示用の画像信号を生成する。ここで、１つのドットについての信号を生成する際に、特定の画素の色信号成分の割合が大きいと、画像のエッジにおいて色ずれが目立ち易くなる。第２の実施例においては、このような色ずれを解消するために、特定の画素が画像の立下りエッジの高輝度側に位置する場合に、画像信号を補正するようにしている。
【００４１】
輝度計算部２０は、第ｎ番目のドットに対応する画素が輝度計算の対象となるか否かを、カウント値ｎに基づいて判定する。第２の実施例においては、抽出された画像情報の割合が設定値（例えば、８０％）以上となる第（３ｍ＋１）番目の画素、及び、それに隣接する第（３ｍ）番目の画素及び第（３ｍ＋２）番目の画素が、輝度計算の対象として選択される（ｍ＝１、２、・・・）。例えば、ｍ＝１、ｎ＝５である場合に、第３番目〜第５番目の画素が輝度計算の対象となる。
【００４２】
その場合に、エッジ検出部３０は、次式によって輝度レベルの変化量ΔＥＹを求める。
ΔＥＹ＝２ＥＹ４−ＥＹ３−ＥＹ５
輝度レベルの変化量ΔＥＹは、緑色のドット（ｎ＝５）に対応する第４の画素、及び、それに隣接する第３の画素及び第５の画素における輝度レベルの変化量を表している。
【００４３】
また、エッジ検出部３０は、緑色のドット（ｎ＝５）に対応する第４の画素の前後の第３の画素及び第５の画素の輝度レベルに基づいて、例えば、次式によってしきい値Ｔｈを設定する。
Ｔｈ＝｜ＥＹ５−ＥＹ３｜／２
さらに、エッジ検出部３０は、設定されたしきい値Ｔｈが所定の値（例えば、輝度レベルの最大値と最小値との差の５０％）よりも小さい場合に、設定されたしきい値Ｔｈを所定の値に変更する。これは、ＥＹ３≒ＥＹ４≒ＥＹ５である場合における誤動作を避けるためである。
【００４４】
エッジ検出部３０は、計算された輝度レベルの変化量ΔＥＹをしきい値Ｔｈと比較することにより、画像の立下がりエッジを検出する。その結果、ΔＥＹ＞Ｔｈである場合には、エッジ検出部３０が、画像の立下がりエッジが存在すると判定する。
【００４５】
画像の立下がりエッジが存在すると判定された場合には、画像補正部４０が、例えば、次式によってＧ信号の補正量ｄＥＧを計算する。
ｄＥＧ＝｜ＥＹ４−ＥＹ５｜／５
【００４６】
画像補正部４０は、次式によって特定の画素の色信号レベルＥＧ４を低下させることにより、補正された信号レベルＥ５'（色信号レベルＥＧ４'）を求める。
Ｅ５'＝ＥＧ４'＝ＥＧ４−ｄＥＧ
これにより、第５番目のドットに表示される緑色のレベルが低下して、色ずれが解消される。
【００４７】
次に、本発明の第３の実施例について、図５及び図６を参照しながら説明する。図５は、本発明の第３の実施例における画像情報の抽出を説明するための図である。第２の実施例においては、ＲＧＢの各々について７２０×２４０画素の画像情報を有する入力画像信号に基づいて、７２０×２４０ドット（ＲＧＢの各々について３６０×２４０ドット）を有する表示パネルに画像を表示する場合について説明する。
【００４８】
画像抽出部１０に入力される画像信号において、第１の画素のＲ信号成分をＲ１、Ｇ信号成分をＧ１、Ｂ信号成分をＢ１とし、第２の画素のＲ信号成分をＲ２、Ｇ信号成分をＧ２、Ｂ信号成分をＢ２とし、第３の画素のＲ信号成分をＲ３、Ｇ信号成分をＧ３、Ｂ信号成分をＢ３等とする。
【００４９】
画像抽出部１０は、これらの色信号成分を周期的に所定の割合で抽出することにより、表示パネルの第１のドット（赤色）に表示する信号Ｅ１、表示パネルの第２のドット（緑色）に表示する信号Ｅ２、表示パネルの第３のドット（青色）に表示する信号Ｅ３等を次式によって計算する。
Ｅ１＝ＥＲ１
Ｅ２＝（ＥＧ１＋２ＥＧ２）／３
Ｅ３＝（２ＥＢ２＋ＥＢ３）／３
Ｅ４＝ＥＲ３
【００５０】
即ち、第１のドットについては、第１の画素のＲ信号成分が１００％の割合で抽出される。第２のドットについては、第１の画素のＧ信号成分が３３％の割合で抽出され、第２の画素のＧ信号成分が６６％の割合で抽出される。第３のドットについては、第２の画素のＢ信号成分が６６％の割合で抽出され、第３の画素のＢ信号成分が３３％の割合で抽出される。第４のドットについては、第３の画素のＲ信号成分が１００％の割合で抽出される。
【００５１】
図６は、１つのドットの信号を生成するために抽出される２つの画素の色信号成分の割合を定める方法を説明するための図である。図６において、１つのライン上に２つの画素Ａ及びＢが隣接しており、それらの画像情報に基づいて、ＲＧＢのいずれかの色を表すドットＯについての信号が生成される。
【００５２】
ここで、ドットＯと画素Ａとの間の距離をＫｍ２とし、ドットＯと画素Ｂとの間の距離をＫｍ１とすると、ドットＯについての信号レベルＥＯは、画素Ａにおける同じ色についての色信号レベルＥＡと、画素Ｂにおける同じ色についての色信号レベルＥＢとに基づいて、次式により計算される（バイリニア補間）。
ＥＯ＝Ｋｍ１・ＥＡ＋Ｋｍ２・ＥＢ
ただし、Ｋｍ１及びＫｍ２は、Ｋｍ１＋Ｋｍ２＝１となるように正規化された値とする。
【００５３】
その場合に、画像信号の補正を行うための条件は、Ｋｍ１又はＫｍ２がしきい値δよりも小さいこととする。しきい値δは、例えば、０〜０．２の範囲で設定する。その他の画像処理に関しては、第２の実施例において説明したものと同じである。
【図面の簡単な説明】
【００５４】
【図１】本発明の一実施形態に係る画像処理装置の構成の一部を示すブロック図。
【図２】本発明の一実施形態に係る画像処理方法を示すフローチャート。
【図３】本発明の第１の実施例における画像情報の抽出を説明する図。
【図４】本発明の第２の実施例における画像情報の抽出を説明する図。
【図５】本発明の第３の実施例における画像情報の抽出を説明する図。
【図６】抽出される２つの画素の色信号成分の割合を定める方法を説明するための図。
【符号の説明】
【００５５】
１０  画像抽出部、  ２０  輝度計算部、  ３０  エッジ検出部、  ４０  画像補正部
【図１】
2009014840.tif 000003
【図２】
2009014840.tif 000004
【図３】
2009014840.tif 000005
【図４】
2009014840.tif 000006
【図５】
2009014840.tif 000007
【図６】
2009014840.tif 000008